(57)【特許請求の範囲】
【請求項１】
上下面部と左右側面部とからなり、その上面部の四隅に貫通孔があけられている偏平箱形状のベースと、
そのベース内に、互いの下面部および左右側面部が重なり合うように挿入されるとともに、自身の下面部に挿入孔が設けられている補強材と、
前記ベースの各貫通孔に挿入されて先端が前記補強材の挿入孔に入り込み、前記ベースの箱形状を保持する支柱と、
からなる、荷役用パレット。
【請求項２】
前記ベースを、帯材を折り曲げてその両端部を重ね合わせ、その重ね合わせた部分を上面部として形成してなる、請求項１に記載の荷役用パレット。
【請求項３】
前記支柱に、前記貫通孔からの外れを阻止する鍔部を設けてなる、請求項１または２に記載の荷役用パレット。
【請求項４】
上下面部と左右側面部とからなり、その上面部の四隅に貫通孔があけられている偏平箱形状のベースと、
そのベース内に、互いの下面部および左右側面部が重なり合うように挿入される補強材と、
前記ベースの各貫通孔に挿入されて、前記ベースの箱形状を保持する支柱と、
からなり、
前記ベースと前記補強材の一方に係合孔を、他方にその係合孔に入り込む切り起こし部を形成してなる、荷役用パレット。
【発明の詳細な説明】
【０００１】
【発明の属する技術分野】
この発明は、たとえば複写機、ファクシミリ、プリンタ等の製品を包装した物品などの荷役を行う際に用いられるパレットに関する。
【従来の技術】
【０００２】
従来、たとえば図８に示すように、底板１０、上板１１、およびこれらの板の四隅に設けた支柱１２から構成される紙製パレットが知られている。この紙製パレットには、通常、底板１０と支柱１２とが、また、上板１１と支柱１２とが、のり、接着剤、金具等で接合されているから、一旦組立てられた紙製パレットを容易に分解することができず、その結果、嵩張るので運搬、保管、廃棄等が容易に行えず、それらに多額の費用がかかるという問題があった。
【０００３】
そこで、組立分解可能なパレットとして、図９に示すように、嵌合孔１３を形成する桁１４をパレット平面の四隅に配置し、その上下にデッキボード１５・１６を配置し、固定部材１７・１８の突起部１９を、そのデッキボード１５・１６の貫通孔２０を介して桁１４の嵌合孔１３に嵌着してなるパレットが提案されている（特開平１１−１６５７３５号公報）。
【０００４】
しかしながら、このパレットは、物品の荷役、保管中に、桁１４と、上下の固定部材１７・１８とが固く嵌合してしまい、分解困難となってしまうことがあり、また、図９からも分かるように、桁部分が極めて複雑な形状をしており、その部品点数も多いことから、安価に得ることができないという問題があった。
【０００５】
【発明が解決しようとする課題】
そこで、この発明の課題は、組立分解を簡易に行うことができ、部品点数も少なく、安価に得ることができ、また、分解時の嵩を小さくして、運搬、保管、廃棄等を容易に行うことができる、荷役用パレットを提供することにある。
【０００６】
【課題を解決するための手段】
そのため、請求項１に記載の発明は、荷役用パレットにおいて、
上下面部と左右側面部とからなり、その上面部の四隅に貫通孔があけられている偏平箱形状のベースと、
そのベース内に、互いの下面部および左右側面部が重なり合うように挿入されるとともに、自身の下面部に挿入孔が設けられている補強材と、
前記ベースの各貫通孔に挿入されて先端が前記補強材の挿入孔に入り込み、前記ベースの箱形状を保持する支柱と、
からなる、ことを特徴とする。
【０００７】
使用時は、ベースの上下面部を離して箱形状とし、貫通孔に支柱を挿入してその箱形状を保持する。
使用後は、貫通孔から支柱を引き抜き、ベースの上下面部を重ね合わせてたたむ。
【０００８】
請求項２に記載の発明は、請求項１に記載の荷役用パレットにおいて、前記ベースを、帯材を折り曲げてその両端部を重ね合わせ、その重ね合わせた部分を上面部として形成してなる、ことを特徴とする。
【０００９】
帯材を用い、それを折り曲げて両端部を重ね合わせ、その重ね合わせた部分を上面部としてベースを形成する。
【００１０】
請求項３に記載の発明は、請求項１または２に記載の荷役用パレットにおいて、前記支柱に、前記貫通孔からの外れを阻止する鍔部を設けてなる、ことを特徴とする。
【００１１】
使用時、鍔部で、支柱が貫通孔から外れることを阻止する。使用後は、鍔部を持って支柱を引き抜く。
【００１３】
ところで、この発明では、組立時、ベース内に補強材を挿入し、その補強材をベースの下面部および左右側面部に重ね合わす。
【００１５】
また、組立時、ベース内に補強材を挿入してから、貫通孔に支柱を挿入し、支柱の先端を補強材の挿入孔に入れる。
【００１８】
請求項４に記載の発明は、荷役用パレットにおいて、
上下面部と左右側面部とからなり、その上面部の四隅に貫通孔があけられている偏平箱形状のベースと、
そのベース内に、互いの下面部および左右側面部が重なり合うように挿入される補強材と、
前記ベースの各貫通孔に挿入されて、前記ベースの箱形状を保持する支柱と、
からなり、
前記ベースと前記補強材の一方に係合孔を、他方にその係合孔に入り込む切り起こし部を形成してなる、ことを特徴とする。
【００１９】
組立時、一方の係合孔に他方の切り起こし部を挿入する。
【００２０】
【発明の実施の形態】
以下、図面を参照しつつ、この発明の実施の形態について説明する。
【００２１】
図１は、この発明の荷役用パレット２の組立斜視図である。
このパレット２は、ベース２１と、このベース２１内に挿入した補強材２３と、ベースの箱形状を保持する支柱２２とからなる。
【００２２】
図２に、このパレット２の分解図を示す。
【００２３】
ベース２１は、帯材を折り曲げてその両端部２１ａを重ね合わせ、その重ね合わせた部分を上面部２１ｂとして形成し、この上面部２１ｂ、下面部２１ｃ、左側面部２１ｄ、および右側面部２１ｅからなる偏平箱形状をなしている。
【００２４】
ベース２１としては、段ボール、硬質紙等が使用され、両端部２１ａの重ね合わせに際しては、のり、接着剤、金具等が使用される。
【００２５】
ベース２１の上面部２１ｂの四隅には貫通孔２１ｆを設ける。この貫通孔２１ｆに支柱２２を挿入してベース２１の箱形状を保持する。貫通孔２１ｆの孔縁は、支柱２２とほぼ同じ大きさに形成する。
【００２６】
支柱２２には、貫通孔２１ｆからの外れを阻止する鍔部２２ａを設ける。
【００２７】
使用時、この鍔部２２ａで、支柱２２が貫通孔２１ｆから外れることを阻止するから、図３に示すように、荷役の際、フォークリフトの爪２４が誤って支柱２２に当たっても、支柱２２が貫通孔２１ｆから外れて抜け落ちることを防止する。
【００２８】
支柱２２としては、前記ベース２１と同様に、段ボール、硬質紙等が使用される。
【００２９】
補強材２３は、ベース２１内に、その下面部２１ｃおよび左右側面部２１ｄ・２１ｅと重なり合うように挿入する。この際、補強材２３の下面部２３ａとベース２１の下面部２１ｃとが、また、補強材２３の左右側面部２３ｂ・２３ｃとベース２１の左右側面部２１ｄ・２１ｅとが重なり合う。
【００３０】
これにより、補強材でベースの形状を保持するとともに、ベースを補強する。
【００３１】
この補強材２３の下面部２３ａには、支柱２２の先端２２ｂが入り込む挿入孔２３ｄを設ける。この挿入孔２３ｄの孔縁を支柱２２の先端２２ｂに掛け止めてベース２１から補強材２３が抜け落ちることを防止する。
【００３２】
また、挿入孔２３ｄの孔縁を、支柱２２の先端２２ｂより少し大きく形成すると、支柱２２を容易に挿入孔２３ｄへと挿入することができ、ベース２１に対する、補強材２３の一定以上のずれを規制する。
【００３３】
補強材２３の挿入方向において、ベース２１の長さ２１ｙを、補強材２３の長さ２３ｙより長くし、これらの長さの差を、挿入孔２３ｄの大きさと支柱２２の先端２２ｂの大きさとの差より、大きくする。すなわち、補強材２３の挿入方向において、挿入孔２３ｄの一辺の長さをａ、支柱２２の先端２２ｂの一辺の長さをｂとするとき、２１ｙ−２３ｙ＞ａ−ｂとする。
【００３４】
これにより、使用時、挿入孔２３ｄの大きさと支柱２２の先端２２ｂの大きさとの差によりベース２１内で補強材２３が移動しても、ベース２１から突出しない。
【００３５】
ところで、このパレット２を使用時に組立てるには、まず、ベース２１の上下面部２１ｂ・２１ｃを離して箱形状とし、このベース２１内に補強材２３を挿入し、その補強材２３を、ベース２１の下面部２１ｃおよび左右側面部２１ｄ・２１ｅに重ね合わせる。
【００３６】
次ぎに、支柱２２を貫通孔２１ｆに挿入し、支柱２２の先端２２ｂを補強材２３の挿入孔２３ｄに入れる。
【００３７】
図４は、このようにして組立てたパレット２の組立断面図である。
【００３８】
このパレット２を使用後に分解するには、まず、支柱２２の鍔部２２ａを持って貫通孔２１ｆから支柱２２を引き抜く。
【００３９】
次ぎに、補強材２３をベース２１から引き抜き、図５に示すように、ベース２１の上下面部２１ｂ・２１ｃを重ね合わせてたたむ。
【００４０】
パレット２を運搬、保管、廃棄等する際には、このようにパレット２を分解してたたむことにより嵩を小さくする。
【００４１】
上記例においては、支柱２２として、４個の角柱状のものを使用したが、その形状、大きさ等は適宜選択することができる。また、これに対応して、ベース２１の貫通孔２１ｆおよび補強材２３の挿入孔２３ｄの形状、大きさ等も適宜選択することができる。
【００４２】
図６は、この発明の別のパレット２の組立斜視図である。
図７に、このパレット２の分解図を示す。
【００４３】
この例は、前記例のパレットと同様に、ベース２１に、補強材２３を挿入し、さらにベース２１の上面部２１ｂの貫通孔２１ｆから支柱２２を挿入するが、補強材２３の下面部２３ａに挿入孔を設けずに、補強材２３に係合孔２３ｅを、ベース２１にその係合孔２３ｅに入り込む切り起こし部２１ｇを形成した例である。
【００４４】
すなわち、補強材２３の左右側面部２３ｂ・２３ｃに、係合孔２３ｅを形成し、ベース２１の左右側面部２１ｄ・２１ｅに、切り起こし部２１ｇを形成する。
【００４５】
そして、このパレット２を組立てるには、前記例のように、まず、ベース２１を箱形状とし、このベース２１内に補強材２３を挿入する。
【００４６】
次ぎに、ベース２１の左右側面部２１ｄ・２１ｅに設けた切り起こし部２１ｇを指で押して、補強材２３の左右側面部２３ｂ・２３ｃに形成した係合孔２３ｅに挿入するとともに、支柱２２を貫通孔２１ｆに挿入する。
【００４７】
このパレット２を分解するには、まず、切り起こし部２１ｇを係合孔２３ｅから外すとともに、支柱２２を引き抜き、さらに補強材２３を引き抜き、ベース２１をたたむ。
【００４８】
上記例においては、ベース２１に切り起こし部２１ｇを設け、補強材２３に係合孔２３ｅを設けたが、ベース２１に係合孔を設け、補強材２３に切り起こし部を設けてもよい。さらに、切り起こし部および係合孔の形状、大きさ等も適宜選択することができる。
【００４９】
【発明の効果】
以上説明したとおり、この発明によれば、ベースの上下面部を離して箱形状とし、貫通孔に支柱を挿入するだけで組み立てることができ、反対に貫通孔から支柱を引き抜き、ベースの上下面部を重ね合わせるだけで分解することができるから、組立分解を簡易に行うことができる。
【００５０】
また、不可欠の部品がベースと支柱との２部品のみであるから、部品点数が少なく、安価に得ることができる。
【００５１】
さらに、分解してたたむことにより嵩を小さくできるから、運搬、保管、廃棄等を容易とすることができる。分別廃棄も可能にできる。
【００５２】
請求項２に係る発明によれば、帯材を折り曲げて両端部を重ね合わせるだけであるから、ベースを容易につくることができる。また、その重ね合わせた部分を上面部とするから、上面部の強度を高めて破損を防止することができる。
【００５３】
請求項３に係る発明によれば、使用時、支柱が貫通孔から外れることを鍔部で阻止するから、荷役の際、フォークリフトの爪等を誤って支柱に当てた場合など、支柱が貫通孔から外れて抜け落ちることを防止することができる。また、使用後は、鍔部を持って支柱を引き抜くことで、分解を容易とすることができる。
【００５４】
また、請求項１に係る発明によれば、組立時、ベース内に補強材を挿入してベースの下面部および左右側面部に重ね合わせるから、補強材でベースの形状を保持するとともに、ベースを補強することができる。
【００５５】
加えて、請求項１に係る発明によれば、組立時、ベース内に補強材を挿入して後、貫通孔に支柱を挿入し、支柱の先端を補強材の挿入孔に入れるから、挿入孔の孔縁を支柱の先端に掛け止めてベースから補強材が抜け落ちることを防止することができる。
【００５７】
請求項４に係る発明によれば、組立時、一方の係合孔に他方の切り起こし部を挿入するから、ベース内における補強材の動きを規制し、ベースから補強材が突出することを防止することができる。
【図面の簡単な説明】
【図１】この発明の荷役用パレットの組立斜視図である。
【図２】そのパレットの分解図である。
【図３】そのパレットの支柱にフォークリフトの爪が当たったときの説明図である。
【図４】そのパレットの組立断面図である。
【図５】そのパレットのベースをたたんだ状態の断面図である。
【図６】この発明の別の荷役用パレットの組立斜視図である。
【図７】そのパレットの分解図である。
【図８】従来のパレットの斜視図である。
【図９】従来の他のパレットの斜視図である。
【符号の説明】
２    パレット
２１  ベース
２１ａ    両端部
２１ｂ    上面部
２１ｃ    下面部
２１ｄ    左側面部
２１ｅ    右側面部
２１ｆ    貫通孔
２１ｇ    切り起こし部
２２    支柱
２２ａ    鍔部
２２ｂ    支柱の先端
２３    補強材
２３ａ    補強材の下面部
２３ｂ    補強材の左側面部
２３ｃ    補強材の右側面部
２３ｄ    挿入孔
２３ｅ    係合孔
２４    フォークリフトの爪
【図１】
0004493162.tif 000002
【図２】
0004493162.tif 000003
【図３】
0004493162.tif 000004
【図４】
0004493162.tif 000005
【図５】
0004493162.tif 000006
【図６】
0004493162.tif 000007
【図７】
0004493162.tif 000008
【図８】
0004493162.tif 000009
【図９】
0004493162.tif 000010